(57)【要約】【課題】養分吸収能力が低下している中でもカルシウム欠乏を起こさないようにする。【解決手段】トマト１の茎２の途中に水分を保持可能とする水分保持手段３を設けて茎２の途中から発根させ、水分保持手段３にカルシウムなどの微量要素を溶かした溶液を供給して茎の根６に微量要素を供給可能とする。また、二つ折りして貼り合わせ可能なシート状基材１０の貼り合わせ面１０ａに水分保持手段３を層状に配置してなるものを用い、前記水分保持手段３に点滴チューブなどを刺して外部から微量要素を含む溶液を供給する。【選択図】図１
2005058119.tif 000002
【特許請求の範囲】
【請求項１】
トマトの茎の途中に水分を保持可能とする水分保持手段を設けて同茎の途中から発根させ、当該水分保持手段にカルシウムなどの微量要素を含む液体を供給して茎の途中から発根した根に微量要素を供給可能としたことを特徴とするトマトの微量要素供給方法。
【請求項２】
二つ折りして貼り合わせ可能なシート状基材の貼り合わせ面に水分保持手段を層状に配置してなり、前記水分保持手段に点滴チューブなどを刺して外部からカルシウムなどの微量要素を含む溶液を供給可能であることを特徴とするトマトの微量要素供給装置。
【請求項３】
シート状基材は水分の蒸散を防止するものであることを特徴とする請求項２記載のトマトの微量要素供給装置。
【発明の詳細な説明】
【技術分野】
【０００１】
本発明は、トマト栽培でカルシウムやホウ素、マグネシウムなどの微量要素の欠乏による不良果を防止するための方法と装置に関するものである。
【背景技術】
【０００２】
糖度９度以上のトマトを高糖度トマトとして一般的なトマトと区別することがある。この高糖度トマトの栽培において、市場ニーズに応えるため、夏季の高温条件下での栽培が求められる。ところが高温条件下でのトマト栽培は不安定であり、水分、カルシウム欠乏による尻腐れやホウ素欠乏による芯腐れなどの生理障害が大きな課題となる。夏季のハウス内は非常な高温になってトマトの養分吸収能力が低下する一方、成育や果実肥大速度は増大するため、作物体内での養分競合が発生する。特にカルシウム欠乏が問題となり、次のような対策が行われている。
【０００３】
１．水と一緒にカルシウムを混ぜて土中に供給して根からの吸収を促進させる。
２．葉両面散布、薬剤散布の時にカルシウムを混ぜて葉の気孔から吸収を行わせる。
３．ホルモン処理などの時にカルシウムを混ぜて吸収を行わせる。
４．上記１から３においてカルシウム以外の微量要素が不足する場合には、不足の微量要素も合わせて供給する。
【０００４】
しかし、上記いずれの作業を行ってもカルシウム欠乏は改善されず、結果として尻腐れが発生する。効果に結びつかない原因としては、養分吸収能力が低下している中では土中にカルシウムを供給しても根からの吸収が大きく増えない上に、根から吸収されたカルシウムが茎を通じて上部（上段）に行き渡りにくいことが考えられる。また葉の気孔からのカルシウム吸収は非常に低いことが考えられる。
【発明の開示】
【発明が解決しようとする課題】
【０００５】
解決しようとする問題は、養分吸収能力が低下している中でもカルシウムを含む各種微量要素の欠乏を起こさないようにすることにある。
【課題を解決するための手段】
【０００６】
本発明のうち請求項１記載のトマトの微量要素供給方法は、トマトの茎の途中に水分を保持可能とする水分保持手段を設けて同茎の途中から発根させ、当該水分保持手段にカルシウムなどの微量要素を含む液体を供給して茎の途中から発根した根に微量要素を供給可能としたことを特徴とするものである。
【０００７】
本発明のうち請求項２記載のトマトの微量要素供給装置は、二つ折りして貼り合わせ可能なシート状基材の貼り合わせ面に水分保持手段を層状に配置してなり、前記水分保持手段に点滴チューブなどを刺して外部からカルシウムなどの微量要素を含む溶液を供給可能であることを特徴とするものである。
【０００８】
本発明のうち請求項３記載のトマトの微量要素供給装置は、シート状基材は水分の蒸散を防止するものであることを特徴とするものである。
【発明の効果】
【０００９】
本発明のうち請求項１記載のトマトの微量要素供給方法によれば、トマトが茎全体から発根しやすい植物であることを利用して、茎の途中に水分保持手段を設けて茎に根を生やし、この茎の途中に生えた根に水分保持手段を通じてカルシウムなどの微量要素を含む液体を供給して吸収させることで、土中の根と茎に生えた根とからそれぞれカルシウムを吸収させることができ、全体としてカルシウム吸収量を増やすことができるようになる。また水分保持手段を茎の上部に設けることで、土中の根からでは行き渡りにくい上段のトマトにも効率的にカルシウムなどの微量要素を行き渡らせることが可能となる。水分保持手段は茎のどの位置にも設けることができるため、欠乏しやすい箇所に重点的に微量要素を供給できる。
【００１０】
本発明のうち請求項２記載のトマトの微量要素供給装置によれば、二つ折りして貼り合わせ可能なシート状基材の貼り合わせ面に水分保持手段を層状に配置してなるものであるため、構造が簡潔で安価なものとなり、また作業性も貼り合わせ面の水分保持手段をトマトの茎に当てる様にしてシート状基材を二つ折りするだけで取り付けできるので非常によい。取付け後は、前記水分保持手段に点滴チューブなどを刺して外部からカルシウムを含む溶液を供給するだけでよい。
【００１１】
本発明のうち請求項３記載のトマトの微量要素供給装置によれば、シート状基材が水分の蒸散を防止するものであるため、水分保持手段による水分保持能力がさらに向上する。
【発明を実施するための最良の形態】
【００１２】
トマトの茎に根を発生させてその根からもカルシウムやリン酸、ホウ素などの11種の種微量要素を吸収させて欠乏を防止するという目的を、簡易で且つ安価な方法及び構成で実現した。
【実施例１】
【００１３】
図１は本発明の微量要素供給方法の実施例を示した説明図であり、トマト１の茎２に、スポンジ（水分保持手段）３を巻き付け、その周をテープ４で巻いてスポンジ３が茎２からずり落ちないようにしたものである。スポンジ３には、液肥自動供給システム（図示されていない）と接続された灌水チューブ５を差し込み、カルシウムを溶かした水（溶液）を適宜・適量自動供給する。この状態で栽培すると、スポンジ３を巻き付けた箇所の茎２から根６が生え出し、スポンジ３内で根６が発達するようになっている。スポンジ３内での根６の発育が促進されるように、カルシウムに加えて他の微量要素や必要な液肥を混合して供給することもできる。
【００１４】
前記では、スポンジを水分保持手段３として用いる例を説明したが、本件発明では水コケや脱脂綿、土、紙を用いることができる。水コケや脱脂綿の場合は、茎２に巻き付けてその外側からテープで巻いて固定することができる。紙の場合は、ちり紙などを用いれば茎２に巻き付けやすく、同様にテープなどで固定することができる。
【実施例２】
【００１５】
図２は本発明の微量要素供給装置の実施例を示した説明図であり、茎２に挟み付けることができる程度の大きさに整形された四角いシート状基材１０の一面１０ａに、それよりも一回り小さい厚さ２，３ｍｍ程度のスポンジ（水分保持手段）３を貼り付けたものである。このシート状基材１０は、水分保持手段３を内側にして図中のＢ−Ｂ位置で二つ折り可能であり、二つ折りしたときに向かい合う部分の縁部分が接着面１１となっており、しっかりと貼り合わせることができるようになっている。なお、シート状基材１０は、コート紙や樹脂シートなど水ぬれしても破れにくく型くずれしにくいものをもちいる。特に樹脂シートを用いると、水分保持手段３に蓄えられた水分が蒸散するのを防ぐことができ、微量要素を含む溶液を効率的に根に供給することができる。
【産業上の利用可能性】
【００１６】
トマトの栽培、特に高糖度トマト栽培においてカルシウム欠乏を防ぐのに利用できるものである。
【図面の簡単な説明】
【００１７】
【図１】(a)はトマトの微量要素供給方法の実施例を示した説明図であり、（ｂ）は（ａ）におけるＡ−Ａ断面図。
【図２】トマトの微量要素供給装置の実施例を示した説明図である。
【符号の説明】
【００１８】
１      トマト
２      茎
３      水分保持手段
４      テープ
６      根
１０    シート状基材
１０ａ  貼り合わせ面
１１    接着面
【図１】
2005058119.tif 000003
【図２】
2005058119.tif 000004